(57)【特許請求の範囲】
【請求項１】
下方に開口した凹部を有する被加熱物を載置するための被加熱物載置台が内蔵されたマイクロ波オーブンと、
前記マイクロ波オーブンに接続導波管を介して接続されるとともにマイクロ波を発生するマイクロ波発振機と、
前記マイクロ波オーブン内に熱風を吹き込むための熱風発生装置とを備え、
前記被加熱物載置台は、前記マイクロ波オーブン内に設けられた支持部と、この支持部により支持され前記被加熱物を載置するプレートとを有し、前記プレートのうち前記被加熱物の前記凹部に対応する位置には開口部が設けられ、前記熱風発生装置には発生した熱風を前記被加熱物の前記凹部に吹き付ける吹付けダクトが取り付けられ、この吹付けダクトは、前記プレートの前記開口部の近傍にまで延び、かつ、この吹付けダクトの吹出しノズルは、前記プレートの前記開口部のうち中央部分からずれた位置に位置決めされていることを特徴とするマイクロ波加熱装置。
【請求項２】
下方に開口した凹部を有する被加熱物を載置するための被加熱物載置台が内蔵されたマイクロ波オーブンと、
前記マイクロ波オーブンに接続導波管を介して接続されるとともにマイクロ波を発生するマイクロ波発振機と、
前記マイクロ波オーブン内に熱風を吹き込むための熱風発生装置とを備え、
前記被加熱物載置台は前記マイクロ波オーブン内に設けられた支持部と、この支持部により支持され前記被加熱物を載置するプレートとを有し、前記プレートのうち前記被加熱物の前記凹部に対応する位置には開口部が設けられ、前記熱風発生装置にて発生した熱風は前記プレートの前記開口部を介して前記被加熱物の前記凹部に吹き付けられ、前記プレートのうち前記被加熱物の前記凹部に対応する位置に設けられた開口部は、熱風を前記凹部に導く入口開口と、前記凹部からの熱風を排出する出口開口とからなることを特徴とするマイクロ波加熱装置。
【発明の詳細な説明】
【０００１】
【発明の属する技術分野】
本発明はマイクロ波加熱装置に係り、とりわけマイクロ波オーブン内にて被加熱物を加熱するマイクロ波加熱装置に関する。
【０００２】
【従来の技術】
従来から、マイクロ波オーブン内にて被加熱物を加熱するマイクロ波加熱装置が知られている。このような従来のマイクロ波加熱装置は、図６に示すように、マイクロ波を発生するマイクロ波発振機１と、マイクロ波発振機１に接続導波管２を介して接続されたマイクロ波オーブン４とを備えている。
【０００３】
ここで、マイクロ波オーブン４はケーシング４ａを有し、このケーシング４ａの上面には接続導波管２から供給されるマイクロ波を攪拌するためのスターラファン３と、被加熱物６から蒸発した水分等を排気するための排気ダクト１２および排気ファン１３とが設けられている。またケーシング４ａの側面には、被加熱物６を出し入れするための扉５が取り付けられている。
【０００４】
さらにケーシング４ａの底面には、被加熱物６を載置するための被加熱物載置台１５が設けられるとともに、熱風発生装置１０が熱風ダクト１１を介して接続されている。なお被加熱物載置台１５は、ケーシング４ａの底面に立設されたブラケット（支持部）９と、このブラケット９上に誘電体製置台８を介して配置されたプレート７とからなっている。
【０００５】
ここで、このようなマイクロ波加熱装置により被加熱物６を加熱および乾燥させる場合には、まず、マイクロ波オーブン４内の被加熱物載置台１５のプレート７上に被加熱物６を載置する。そして、この状態で、マイクロ波発振機１に電源を印加してマイクロ波を発生させ、このマイクロ波を接続導波管２を介してマイクロ波オーブン４内に供給する。なお、このようにして供給されたマイクロ波はスターラファン３の回転によりマイクロ波オーブン４内で拡散される。この結果、被加熱物６にマイクロ波エネルギーが吸収され、発熱によって所定の乾燥がなされる。また、このようなマイクロ波の供給と同時に熱風発生装置１０および排気ファン１３を動作させ、熱風発生装置１０にて発生した熱風を熱風ダクト１１を介してマイクロ波オーブン４内に吹き込む。このような熱風の吹込みによりマイクロ波オーブン４内の雰囲気温度が上がるとともに飽和蒸気圧が上がるので、被加熱物６からの水分等の蒸発が促進されて被加熱物６を効率良く加熱することができる。なお、被加熱物６から蒸発した水分等は排気ダクト１２を介して外部に排気される。
【０００６】
【発明が解決しようとする課題】
上述したように、従来のマイクロ波加熱装置においては、マイクロ波オーブン４内にマイクロ波を供給するとともに、熱風発生装置１０にて発生した熱風を熱風ダクト１１を介してマイクロ波オーブン４内に吹き込むことにより、被加熱物６を加熱および乾燥させている。
【０００７】
しかしながら、上述した従来のマイクロ波加熱装置では、例えば図７に示すような凹部６ａを有する被加熱物６を図６に示すような状態で載置して加熱する場合に、被加熱物６から蒸発した水分等が被加熱物６の凹部６ａに滞留することにより被加熱物６の乾燥処理が円滑に行えないことがある。
【０００８】
本発明はこのような点を考慮してなされたものであり、被加熱物の凹部等における蒸発水分等の滞留をなくして被加熱物を効率良く乾燥させることができるマイクロ波加熱装置を提供することを目的とする。
【０００９】
【課題を解決するための手段】
本発明は、下方に開口した凹部を有する被加熱物を載置するための被加熱物載置台が内蔵されたマイクロ波オーブンと、前記マイクロ波オーブンに接続導波管を介して接続されるとともにマイクロ波を発生するマイクロ波発振機と、前記マイクロ波オーブン内に熱風を吹き込むための熱風発生装置とを備え、前記被加熱物載置台は、前記マイクロ波オーブン内に設けられた支持部と、この支持部により支持され前記被加熱物を載置するプレートとを有し、前記プレートのうち前記被加熱物の前記凹部に対応する位置には開口部が設けられ、前記熱風発生装置には発生した熱風を前記被加熱物の前記凹部に吹き付ける吹付けダクトが取り付けられ、この吹付けダクトは、前記プレートの前記開口部の近傍にまで延び、かつ、この吹付けダクトの吹出しノズルは、前記プレートの前記開口部のうち中央部分からずれた位置に位置決めされていることを特徴とするマイクロ波加熱装置を提供する。
【００１０】
また本発明は、下方に開口した凹部を有する被加熱物を載置するための被加熱物載置台が内蔵されたマイクロ波オーブンと、前記マイクロ波オーブンに接続導波管を介して接続されるとともにマイクロ波を発生するマイクロ波発振機と、前記マイクロ波オーブン内に熱風を吹き込むための熱風発生装置とを備え、前記被加熱物載置台は前記マイクロ波オーブン内に設けられた支持部と、この支持部により支持され前記被加熱物を載置するプレートとを有し、前記プレートのうち前記被加熱物の前記凹部に対応する位置には開口部が設けられ、前記熱風発生装置にて発生した熱風は前記プレートの前記開口部を介して前記被加熱物の前記凹部に吹き付けられ、前記プレートのうち前記被加熱物の前記凹部に対応する位置に設けられた開口部は、熱風を前記凹部に導く入口開口と、前記凹部からの熱風を排出する出口開口とからなることを特徴とするマイクロ波加熱装置を提供する。
【００１１】
本発明によれば、熱風発生装置にて発生した熱風を被加熱物の凹部に直接吹き付けるようにしているので、被加熱物の凹部内に滞留する蒸発水分等を強制的に凹部外に排出させることができ、このため被加熱物を効率良く乾燥させることができる。
【００１２】
【発明の実施の形態】
以下、図面を参照して本発明の実施の形態について説明する。図１乃至図５は本発明によるマイクロ波加熱装置の一実施の形態を示す図である。
【００１３】
まず、図１および図２により、マイクロ波加熱装置の全体について説明する。ここで、図１はマイクロ波加熱装置の一実施の形態を示す全体概略図、図２は図１に示すマイクロ波加熱装置をＡ方向から見た一部切欠図である。
【００１４】
図１および図２に示すように、マイクロ波加熱装置は、マイクロ波を発生するマイクロ波発振機１と、マイクロ波発振機１に接続導波管２を介して接続されたマイクロ波オーブン４とを備えている。
【００１５】
ここで、マイクロ波オーブン４はケーシング４ａを有し、このケーシング４ａの上面には接続導波管２から供給されるマイクロ波を攪拌するためのスターラファン３と、被加熱物６から蒸発した水分等を排気するための排気ダクト１２および排気ファン１３とが設けられている。またケーシング４ａの側面には、被加熱物６を出し入れするための扉５が取り付けられている。
【００１６】
さらにケーシング４ａの底面には、被加熱物６を載置するための被加熱物載置台１５が設けられるとともに、熱風発生装置１０が熱風ダクト１１を介して接続されている。ここで被加熱物載置台１５は、ケーシング４ａの底面に立設されたブラケット（支持部）９と、このブラケット９上に誘電体製置台８を介して配置されたプレート７とを有している。なお誘電体製置台８は、金属製のブラケット９およびプレート７間での放電を避けるためのものであり、ポリプロピレンやポリエチレン等の誘電体から作製されている。また熱風発生装置１０は、マイクロ波オーブン４内の雰囲気温度を上げるとともに飽和蒸気圧を上げることにより被加熱物６の乾燥速度を向上させるものである。
【００１７】
ここで、被加熱物載置台１５のプレート７上に載置される被加熱物６は、図１および図７に示すように、下方に開口した凹部６ａを有している。また、プレート７のうち被加熱物６の凹部６ａに対応する位置には、図１に示すように、開口（開口部）７ａが設けられている。図１に示すプレート７の平面図を図３（ａ）に示す。なお図１および図２に示すように、熱風ダクト１１は被加熱物６の凹部６ａに熱風を吹き付けるための吹付けダクトとしてプレート７の開口７ａの近傍にまで延び、また図３に示すように、熱風ダクト１１の吹出しノズル１１ａはプレート７の開口７ａのうち中央部分からずれた位置に位置決めされている。
【００１８】
また、被加熱物載置台１５を構成する誘電体製置台８およびブラケット９は、図４に示すような構造となっている。図４に示すように、誘電体製置台８は円板状の上部８ａと、この上部８ａの下面から下方に延びる軸部８ｂとからなり、この軸部８ｂとブラケット９とが軸と穴との関係で抜差し自在に嵌合されている。なお、このような関係で誘電体製置台８とブラケット９とが互いに接続されているので、加熱によって変形または焼損を起こしやすいポリプロピレンやポリエチレン等の材料からなる誘電体製置台８を容易に交換することができる。また、誘電体製置台８の上部８ａとブラケット９とは直接固定されていないので、誘電体製置台８とブラケット９とが異なる速度で熱膨張した場合でも誘電体製置台８の上部８ａはブラケット９に拘束されることなく熱膨張することができ、このため誘電体製置台８のそりやひずみ等の形状変形により誘電体製置台８上に載置された被加熱物６がプレート７から転がり落ちる等の不具合の発生を防止することができる。
【００１９】
なお、誘電体製置台８とブラケット９との間の接続構造は、図４に示すような構造に限定されるものではなく、例えば図５に示すように、誘電体製置台８の軸部８ｂの外面に雄ねじを刻むとともに、ブラケット９の内面に雌ねじを刻み、これらの雄ねじおよび雌ねじの嵌合により誘電体製置台８の軸部８ｂとブラケット９とを接続するようにしてもよい。なお、このようにして誘電体製置台８の軸部８ｂとブラケット９とを接続することにより、誘電体製置台８の高さを容易に調節することが可能となる。
【００２０】
次に、このような構成からなる本実施の形態の作用について説明する。
【００２１】
まず、マイクロ波オーブン４内の被加熱物載置台１５のプレート７上に被加熱物６を載置する。そして、この状態で、マイクロ波発振機１に電源を印加してマイクロ波を発生させ、このマイクロ波を接続導波管２を介してマイクロ波オーブン４内に供給する。なお、このようにして供給されたマイクロ波はスターラファン３の回転によりマイクロ波オーブン４内で拡散される。
【００２２】
また、このようなマイクロ波の供給と同時に熱風発生装置１０および排気ファン１３を動作させ、熱風発生装置１０にて発生した熱風を熱風ダクト１１を介してマイクロ波オーブン４内に吹き込むとともに、被加熱物６から蒸発した水分等を排気ダクト１２を介して外部に排気する。このとき、プレート７の開口７ａの中央部分からずれた位置に位置決めされた吹出しノズル１１ａから吹き出された熱風は、プレート７の開口７ａを介して被加熱物６の凹部６ａに吹き付けられるとともに、図１に示すように被加熱物６の凹部６ａ内を流れ、これにより被加熱物６の凹部６ａ内に滞留する蒸発水分等が強制的に凹部６ａ外に排出される。
【００２３】
このように本実施の形態によれば、熱風発生装置１０にて発生した熱風を被加熱物６の凹部６ａに対応する位置に設けられたプレート７の開口７ａを介して被加熱物６の凹部６ａに直接吹き付けるようにしているので、被加熱物６の凹部６ａ内に滞留する蒸発水分等を強制的に被加熱物６の凹部６ａ外に排出させることができ、このため被加熱物６を効率良く乾燥させることができる。
【００２４】
また本実施の形態によれば、熱風ダクト１１がプレート７の開口７ａの近傍にまで延びているので、熱風発生装置１０にて発生した熱風を被加熱物６の凹部６ａに効果的に吹き付けることができる。
【００２５】
さらに本実施の形態によれば、熱風発生装置１０にて発生した熱風をプレート７の開口７ａの中央部分からずれた位置に位置決めされた吹出しノズル１１ａから被加熱物６の凹部６ａに吹き付けているので、被加熱物６の凹部６ａ内にて熱風の円滑な流れを形成することができる。
【００２６】
なお、上述した実施の形態においては、プレート７に設けられる開口部として図３（ａ）に示すような開口７ａを設けているが、図３（ｂ）に示すように、開口部として入口開口７ｂおよび出口開口７ｃという２つの開口を設け、このうちの入口開口７ｂのみに熱風発生装置１０にて発生した熱風を吹き付けるようにしてもよい。このようにすると、入口開口７ｂから被加熱物６の凹部６ａに導かれた熱風は出口開口７ｃを介して排出されることとなり、被加熱物６の凹部６ａ内にて熱風のさらに円滑な流れを形成することができる。
【００２７】
また、上述した実施の形態においては、被加熱物載置台１５上に載置される被加熱物６は図７に示すような形状のものとしたが、被加熱物６の形状はこのようなものに限定されるものではなく、蒸発水分等が滞留するような凹部を有している被加熱物であれば図７に示す形状以外の種々の形状の被加熱物に適用可能である。なお、被加熱物の凹部がプレート７との間で閉じた空間を形成しない場合には、プレート７に開口部を設けなくとも、熱風ダクト１１を被加熱物の凹部近傍まで延ばして吹出しノズル１１ａをその凹部近傍に配置するような構成とすることにより、被加熱物の凹部に熱風を直接吹き付けるようにしてもよい。
【００２８】
【発明の効果】
以上説明したように本発明によれば、熱風発生装置にて発生した熱風を被加熱物の凹部に直接吹き付けるようにしているので、被加熱物の凹部内に滞留する蒸発水分等を強制的に凹部外に排出させることができ、このため被加熱物を効率良く乾燥させることができる。
【図面の簡単な説明】
【図１】本発明によるマイクロ波加熱装置の一実施の形態を示す全体概略図。
【図２】図１に示すマイクロ波加熱装置をＡ方向から見た一部切欠図。
【図３】被加熱物が載置されるプレートの平面図。
【図４】被加熱物載置台の構造を示す図。
【図５】図４に示す被加熱物載置台の変形例を示す図。
【図６】従来のマイクロ波加熱装置を示す全体概略図。
【図７】被加熱物を示す斜視図。
【符号の説明】
１  マイクロ波発振機
２  接続導波管
４  マイクロ波オーブン
６  被加熱物
６ａ  凹部
７  プレート
７ａ，７ｂ，７ｃ  開口（開口部）
８  誘電体製置台
９  ブラケット（支持部）
１０  熱風発生装置
１１  熱風ダクト（吹付けダクト）
１５  被加熱物載置台
【図１】
0003725677.tif 000002
【図２】
0003725677.tif 000003
【図３】
0003725677.tif 000004
【図４】
0003725677.tif 000005
【図５】
0003725677.tif 000006
【図６】
0003725677.tif 000007
【図７】
0003725677.tif 000008